(57)【要約】【課題】移動扉の下部を案内するガイドレールを省略し、スムーズに旋回することのできるドア装置を提供する。【解決手段】ドア装置１は、袖扉２と、袖扉２に対して建物開口部の開閉方向に移動する移動扉３とからなり、袖扉２及び移動扉３は上下方向を軸としてそれぞれ旋回可能である。ドア装置１は、移動扉３が開閉方向に移動するときには、移動扉３と袖扉２との間の距離が所定以上離れることを抑制するとともに、移動扉３の旋回時には移動扉３を支持する支持機構７０と、袖扉２に取り付けられ、支持機構７０を袖扉２の厚さ方向の両側から挟み込んで保持し、旋回時には支持機構７０の移動を案内する一対のスライドレール７７とを備える。【選択図】図４
2018193748.tif 000002
【特許請求の範囲】
【請求項１】
袖扉と、前記袖扉に沿って建物開口部の開閉方向に移動する移動扉とからなり、前記袖扉及び前記移動扉は上下方向を軸としてそれぞれ旋回可能であるドア装置であって、
前記移動扉が前記開閉方向に移動するときには、前記移動扉と前記袖扉との間の距離が所定以上離れることを抑制するとともに、前記移動扉の旋回時には前記移動扉を支持する支持機構と、
前記袖扉に取り付けられ、前記支持機構を前記袖扉の厚さ又は高さ方向の両側から挟み込んで保持し、前記旋回時には前記支持機構の移動を案内する一対の案内部材と、を備える
ドア装置。
【請求項２】
前記支持機構は、前記一対の案内部材に一端が保持されるブラケットと、前記移動扉の下部に固定され、前記移動扉の幅方向に延びるレールと、前記ブラケットの他端に設けられ、前記移動扉の旋回時に前記レールを支持する支持部材と、を備え、
前記一対の案内部材により保持される前記ブラケットの部分の前記幅方向における長さは、前記支持部材の前記幅方向における長さ以上である
請求項１に記載のドア装置。
【請求項３】
前記支持部材の前記レールに対する接触部及び前記レールの前記支持部材に対する接触部の、前記幅方向と垂直な断面におけるそれぞれの外形が、一方は凹状の曲線であり、他方は凸状の曲線である
請求項２に記載のドア装置。
【請求項４】
前記支持部材は、前記旋回時に、前記レールの前記移動扉の厚み方向における前記袖扉から遠い側の表面と当たるつばを備える
請求項３に記載のドア装置。
【請求項５】
前記袖扉は、前記一対の案内部材の前記袖扉に対する取付部分を外部から確認するために前記移動扉側の側面に設けた袖扉孔部と、前記袖扉孔部を閉じる袖扉蓋と、を備え、
前記移動扉は、前記支持機構を外部から確認するために前記移動扉の戸尻側側面に設けた移動扉孔部と、前記移動扉孔部を閉じる移動扉蓋と、を備える
請求項１〜４のいずれか一項に記載のドア装置。
【請求項６】
前記ドア装置を設けた開口部の一部を形成する躯体部又は前記袖扉の一方に設けた保持部材と、前記躯体部又は前記袖扉の他方に設け、前記袖扉が閉じた状態で前記保持部材に接触して保持する被保持部材と、を備え、
前記被保持部材及び前記保持部材は、前記被保持部材と前記保持部材とが接触した状態において、前記移動扉から前記袖扉に対して力が掛かっても前記袖扉が旋回しない所定以下の保持力で保持する
請求項１〜５のいずれか一項に記載のドア装置。
【請求項７】
前記袖扉に固定され、前記一対の案内部材を取り付けるＵ字状の取付部材を備え、
前記一対の案内部材は、前記取付部材のＵ字の各腕と前記支持機構との間に取り付けられ、
前記袖扉と前記取付部材との相対位置を変更可能である
請求項１〜６のいずれか一項に記載のドア装置。
【請求項８】
前記一対の案内部材は、前記支持機構を前記袖扉の厚さ方向の両側から挟み込んで保持する一対のスライドレールである
請求項１〜７のいずれか一項に記載のドア装置。
【請求項９】
前記支持部材は、回転可能なローラである
請求項２〜４のいずれか一項に記載のドア装置。
【請求項１０】
前記移動扉を吊り下げて前記袖扉に対して相対的に移動する吊り部材と、
前記袖扉の上方に設けられ、前記袖扉の幅方向に延出し、前記吊り部材が移動するレールと、を備え、
前記レールは、前記袖扉の厚み方向の中心よりも前記移動扉寄りに設けられる
請求項１〜９のいずれか一項に記載のドア装置。
【請求項１１】
袖扉と、前記袖扉に沿って建物開口部の開閉方向に移動する移動扉とからなり、前記袖扉及び前記移動扉は上下方向を軸としてそれぞれ旋回可能であるドア装置であって、
ブラケットと、前記移動扉の下部に固定され、前記移動扉の幅方向に延びる断面が凸状のレールと、前記ブラケットの他端に設けられ、前記移動扉の旋回時に前記レールを支持する断面が凹状のガイドローラとからなる支持機構と、
前記袖扉に取り付けられ、前記ブラケットの一端を前記袖扉の厚さ方向の両側から挟み込んで保持し、前記旋回時には前記支持機構の移動を案内する一対のスライドレールと、を備える
ドア装置。
【発明の詳細な説明】
【技術分野】
【０００１】
本発明は、ドア装置に関する。
【背景技術】
【０００２】
特許文献１には、開口部の上縁に沿って移動して開口部を開閉する移動扉と、該移動扉とともに旋回することで開口部全体を開放する固定扉とを備えるドア装置が開示されている。
【０００３】
特許文献１に記載のドア装置の移動扉は、開口部の上枠に沿って移動可能な吊り金具に吊り下げられており、この吊り金具とともに移動して開口部を開閉する。また、この移動扉は、吊り金具と上部軸を介して連結されており、開口部の下縁に沿って案内される下部軸と上部軸とを中心として旋回することで開口部を開閉することも可能である。ドア装置の固定扉は、開口部の縦枠寄りの上下の軸部を中心とする旋回方向に開閉可能である。開口部の下縁には、下部軸を案内するガイドレールが設けられている。
【先行技術文献】
【特許文献】
【０００４】
【特許文献１】特開２００１−３６３３号公報
【発明の概要】
【発明が解決しようとする課題】
【０００５】
ところで、上記のドア装置は、開口部の下縁にガイドレールが必要であるため、開口部の下縁、言い換えれば床面に凹凸がないことが望まれる施設に設置することができない。
本発明は、こうした実情に鑑みてなされたものであり、その目的は、移動扉の下部を案内するガイドレールを省略するとともに、スムーズに旋回することのできるドア装置を提供することにある。
【課題を解決するための手段】
【０００６】
上記課題を解決するドア装置は、袖扉と、前記袖扉に沿って建物開口部の開閉方向に移動する移動扉とからなり、前記袖扉及び前記移動扉は上下方向を軸としてそれぞれ旋回可能であるドア装置であって、前記移動扉が前記開閉方向に移動するときには、前記移動扉と前記袖扉との間の距離が所定以上離れることを抑制するとともに、前記移動扉の旋回時には前記移動扉を支持する支持機構と、前記袖扉に取り付けられ、前記支持機構を前記袖扉の厚さ又は高さ方向の両側から挟み込んで保持し、前記旋回時には前記支持機構の移動を案内する一対の案内部材と、を備える。
【０００７】
上記構成によれば、移動扉が袖扉に対し建物開口部の開閉方向に移動するときには、移動扉と袖扉との間の距離が所定以上離れるのを支持機構によって抑制することができる。更に移動扉を支持する支持機構の厚さ又は高さ方向の両側から挟み込む一対の案内部材が袖扉に設けられているため、移動扉及び袖扉が旋回する際に、移動扉が支持機構を介して袖扉に支持される。特に一対の案内部材は、支持機構を両側から挟み込むように設けられるので、案内部材が一つの場合に比べ、案内部材にかかる圧縮方向の力と引っ張り方向の力をバランスよく受けることができる。これにより、移動扉の下部を案内するガイドレールを省略するとともに、スムーズに旋回することもできる。
【０００８】
上記ドア装置について、前記支持機構は、前記一対の案内部材に一端が保持されるブラケットと、前記移動扉の下部に固定された前記幅方向に延びるレールと、前記ブラケットの他端に設けられ、前記移動扉の旋回時に前記レールを支持する支持部材と、を備え、前記一対の案内部材により保持される前記ブラケットの部分の前記幅方向における長さは、前記支持部材の前記幅方向における長さ以上であることが好ましい。
【０００９】
上記構成によれば、ブラケットに掛かる荷重を分散させることができ、案内部材に荷重が局所的に集中することを抑制することで、旋回時における袖扉に対する移動扉の相対移動がスムーズに行えるので、スムーズに旋回することができる。
【００１０】
上記ドア装置について、前記支持部材の前記レールに対する接触部及び前記レールの前記支持部材に対する接触部の、前記幅方向と垂直な断面におけるそれぞれの外形が、一方は凹状の曲線であり、他方は凸状の曲線であることが好ましい。
【００１１】
上記構成によれば、移動扉と袖扉とが旋回する際に、それぞれの旋回軸が異なることによる移動距離や角度の差によって支持部材とレールとの位置関係が変化したとしても接触部同士の曲線からなる断面形状によってずれを補正することができる。
【００１２】
上記ドア装置について、前記支持部材は、前記旋回時に、前記レールの前記移動扉の厚み方向における前記袖扉から遠い側の表面と当たるつばを備えることが好ましい。
上記構成によれば、袖扉だけを旋回させた場合であっても支持部材のつばがレールに当たることで、袖扉を旋回させる力が移動扉にも伝達されるため、袖扉と移動扉とを一体に旋回することができる。
【００１３】
上記ドア装置について、前記袖扉は、前記一対の案内部材の前記袖扉に対する取付部分を外部から確認するために前記移動扉側の側面に設けた袖扉孔部と、前記袖扉孔部を閉じる袖扉蓋と、を備え、前記移動扉は、前記支持機構を外部から確認するために前記移動扉の戸尻側側面に設けた移動扉孔部と、前記移動扉孔部を閉じる移動扉蓋と、を備えることが好ましい。
【００１４】
上記構成によれば、ドア装置が全閉状態のときに、移動扉孔部から支持機構の状態と、袖扉孔部によって一対の案内部材の取付状態とを移動することなく確認することができる。更に支持機構の状態を確認しながら、移動することなく案内部材の上下方向の位置等を変更することができる。
【００１５】
上記ドア装置について、前記ドア装置を設けた開口部の一部を形成する躯体部又は前記袖扉の一方に設けた保持部材と、前記躯体部又は前記袖扉の他方に設け、前記袖扉が閉じた状態で前記保持部材に接触して保持する被保持部材と、を備え、前記被保持部材及び前記保持部材は、前記被保持部材と前記保持部材とが接触した状態において、前記移動扉から前記袖扉に対して力が掛かっても前記袖扉が旋回しない所定以下の保持力で保持することが好ましい。
【００１６】
ドア装置は、移動扉の下部が案内されていないとともに、移動扉の厚み方向への変位が規制されていないため、移動扉が自重によって袖扉が設けられている方向に傾くおそれがある。移動扉からの力が袖扉に働くと固定されていない袖扉は旋回するおそれがある。そこで、上記構成によれば、袖扉が旋回していない閉じた状態のときに、保持部材及び被保持部材が接触して、袖扉を保持することで、移動扉からの力が袖扉に働くことにより、袖扉が意図せず旋回することを抑制することができる。
【００１７】
上記ドア装置について、前記袖扉に固定され、前記一対の案内部材を取り付けるＵ字状の取付部材を備え、前記一対の案内部材は、前記取付部材のＵ字の各腕と前記支持機構との間に取り付けられ、前記袖扉と前記取付部材との相対位置を変更可能であることが好ましい。
【００１８】
上記構成によれば、一対の案内部材が支持機構を保持しつつ、取付部材の袖扉との相対位置を変更することによって支持機構の袖扉に対する位置、例えば高さ方向の位置関係を容易に変更することができる。
【００１９】
上記ドア装置について、前記一対の案内部材は、前記支持機構を前記袖扉の厚さ方向の両側から挟み込んで保持する一対のスライドレールであることが好ましい。
上記構成によれば、支持機構を袖扉の下方に設けた開口から一対の案内部材に挟み込むことができるので、袖扉の側面に支持機構を通過させるための開口を設ける必要がない。
【００２０】
上記ドア装置について、前記支持部材は、回転可能なローラであることが好ましい。
上記構成によれば、引戸動作時に支持機構のレールと仮に当たったとしても、ガイドローラが回転することにより引戸動作に悪影響を与えることがない。
【００２１】
上記ドア装置について、前記移動扉を吊り下げて前記袖扉に対して相対的に移動する吊り部材と、前記袖扉の上方に設けられ、前記袖扉の幅方向に延出し、前記吊り部材が移動するレールと、を備え、前記レールは、前記移動扉の厚み方向の中心よりも前記袖扉寄りに設けられることが好ましい。
【００２２】
上記構成によれば、吊り部材の袖扉の厚み方向における長さを短くすることができる。
上記課題を解決するドア装置は、袖扉と、前記袖扉に沿って建物開口部の開閉方向に移動する移動扉とからなり、前記袖扉及び前記移動扉は上下方向を軸としてそれぞれ旋回可能であるドア装置であって、ブラケットと、前記移動扉の下部に固定され、前記移動扉の幅方向に延びる断面が凸状のレールと、前記ブラケットの他端に設けられ、前記移動扉の旋回時に前記レールを支持する断面が凹状のガイドローラとからなる支持機構と、前記袖扉に取り付けられ、前記ブラケットの一端を前記袖扉の厚さ方向の両側から挟み込んで保持し、前記旋回時には前記支持機構の移動を案内する一対のスライドレールと、を備える。
【００２３】
上記構成によれば、移動扉が袖扉に対し建物開口部の開閉方向に移動するときには、移動扉と袖扉との間の距離が離れるのを支持機構によって抑制することができる。更に支持機構のブラケットの一端を袖扉の厚さ方向の両側から挟み込む一対のスライドレールが袖扉に設けられているため、移動扉及び袖扉が旋回する際に、移動扉が支持機構を介して袖扉に支持される。特に一対のスライドレールは、支持機構のブラケットの一端を両側から挟み込むように設けられるので、スライドレールが一つの場合に比べ、スライドレールにかかる圧縮方向の力と引っ張り方向の力をバランスよく受けることができる。これにより、移動扉の下部を案内するガイドレールを省略するとともに、スムーズに旋回することもできる。
【発明の効果】
【００２４】
本発明によれば、移動扉の下部を案内するガイドレールを省略するとともに、スムーズに旋回することができる。
【図面の簡単な説明】
【００２５】
【図１】ドア装置の概略構成を示す正面図。
【図２】ドア装置の動作を示す平面図。
【図３】ドア装置の構成を示す破断側面図。
【図４】ドア装置の構成を示す破断側面図。
【図５】ドア装置の袖扉の構成を示す平面図。
【図６】ドア装置の移動扉の構成を示す平面図。
【図７】ドア装置の構成を示し、移動扉が開状態における戸尻側の縦断面図。
【図８】ドア装置の構成を示し、移動扉が開状態における戸先側の縦断面図。
【図９】ドア装置の構成を示し、袖扉の幅方向中央付近の上部の縦断面図。
【図１０】ドア装置の袖扉の袖扉孔部の構成を示す正面図。
【図１１】ドア装置の袖扉の袖扉孔部及び袖扉蓋の構成を示す横断面図。
【図１２】ドア装置の移動軌跡を示す平面図。
【発明を実施するための形態】
【００２６】
以下、図１〜図１２を参照して、ドア装置の一実施形態について説明する。
＜ドア装置＞
図１に示すように、ドア装置１は、四角形の板状の袖扉２と移動扉３とを一対備えている。袖扉２と移動扉３とは、建物の例えば部屋の建物開口部１０に設置されて、建物開口部１０を開閉する。図１は、ドア装置１を部屋の内側から見た正面図である。建物開口部１０は、床面１１と、間隔を隔てて垂直に床面１１に設置されている左側縦枠１２及び右側縦枠１３と、左右両端部がそれぞれ左側縦枠１２及び右側縦枠１３に取り付けられ、床面１１と間隔を隔てて水平に配置されている上枠１４とにより形成されている。以下では、部屋の内側から見て、建物開口部１０の左側に位置する縦枠を左側縦枠１２とし、戸尻２１が左側に位置する袖扉２を左側袖扉２Ａとし、戸尻３１が左側に位置する移動扉３を左側移動扉３Ａとする。また、部屋の内側から見て、建物開口部１０の右側に位置する縦枠を右側縦枠１３とし、戸尻２１が右側に位置する袖扉２を右側袖扉２Ｂとし、戸尻３１が右側に位置する移動扉３を右側移動扉３Ｂとする。上枠１４は、建物開口部１０の上縁に沿って設けられ、天井１５に固定されている。上枠１４の内部には、移動扉３を建物開口部１０に沿って移動させるモータを含む図示しない駆動装置等が収納されている。上枠１４の外面の中央には、人等を検知する検知センサ５が取り付けられている。ドア装置１は、検知センサ５が人等を検知した際に、前記駆動装置によって移動扉３を開位置に移動させ、検知センサ５が検知しなくなってから所定時間経過後に、前記駆動装置によって移動扉３を閉位置に移動させる。なお、上枠１４は躯体部に相当する。また、袖扉２や移動扉３は枠体にガラスをはめ込んだものであっても、金属の扉であってもよい。
【００２７】
図２に示すように、袖扉２と移動扉３とは、扉の厚み方向、言い換えれば建物開口部１０の幅方向に直交する方向においてずれた状態で設置されている。すなわち、移動扉３が建物開口部１０の幅方向に移動する状態では、袖扉２は部屋の外側に設置され、移動扉３は部屋の内側に設置されている。以下、「建物開口部１０の幅方向」を単に「幅方向」という場合もある。
【００２８】
そして、左側移動扉３Ａ及び右側移動扉３Ｂは、幅方向において移動可能に設置されている。以下では左側移動扉３Ａ及び右側移動扉３Ｂの幅方向への移動を引戸動作と記載する。左側移動扉３Ａは、幅方向において戸先３２が建物開口部１０の中央に位置する全閉位置Ａ１と、左側袖扉２Ａの戸先２２の位置と左側移動扉３Ａの戸先３２の位置とがほぼ一致する旋回開始位置Ａ３との間で移動可能である。なお、扉の幅方向において全閉位置Ａ１と旋回開始位置Ａ３との間には、左側袖扉２Ａの戸先２２の位置よりも左側移動扉３Ａの戸先３２の位置が建物開口部１０の中央側へ突出する全開位置Ａ２がある。左側移動扉３Ａは、自動ドアとして機能する際には、全閉位置Ａ１と全開位置Ａ２との間で移動する。同様に、右側移動扉３Ｂは、幅方向において戸先３２が建物開口部１０の中央に位置する全閉位置Ａ１と、右側袖扉２Ｂの戸先２２の位置と右側移動扉３Ｂの戸先３２の位置とがほぼ一致する旋回開始位置Ｂ３との間で移動可能である。なお、幅方向において全閉位置Ａ１と旋回開始位置Ａ３との間には、右側袖扉２Ｂの戸先２２の位置よりも右側移動扉３Ｂの戸先３２の位置が建物開口部１０の中央側へ突出する全開位置Ａ２がある。右側移動扉３Ｂは、自動ドアとして機能する際には、全閉位置Ａ１と全開位置Ａ２との間で移動する。
【００２９】
さらに、左側袖扉２Ａ及び左側移動扉３Ａは、左側移動扉３Ａが旋回開始位置Ａ３に移動すると、それぞれの戸尻２１，３１側を旋回軸として部屋の外側へ向かって旋回することが可能となる。同様に、右側袖扉２Ｂ及び右側移動扉３Ｂは、右側移動扉３Ｂが旋回開始位置Ａ３に移動すると、それぞれの戸尻２１，３１側を旋回軸として部屋の外側へ向かって旋回することが可能となる。以下では、左側袖扉２Ａ及び左側移動扉３Ａ、右側袖扉２Ｂ及び右側移動扉３Ｂのそれぞれの旋回を旋回動作と記載する。このように、左側袖扉２Ａ及び左側移動扉３Ａが部屋の外側へ反時計回りに９０°旋回した位置である旋回終了位置Ｂ４，Ａ４に位置するとともに、右側袖扉２Ｂ及び右側移動扉３Ｂが部屋の外側へ時計回りに９０°旋回した位置である旋回終了位置Ｂ４，Ａ４に位置すると、建物開口部１０を全開状態にすることができる。一方、左側移動扉３Ａ及び右側移動扉３Ｂが全閉位置Ａ１に位置すると、建物開口部１０を全閉状態にすることができる。
【００３０】
なお、引戸動作から旋回動作に切り替える際には、図示しない全開スイッチが操作されると、全開信号が図示しない駆動装置に入力されて、駆動装置によって全開位置Ａ２から旋回開始位置Ａ３に移動される。
【００３１】
図３は、左側移動扉３Ａが全開位置Ａ２に位置する状態において、戸先２２，３２から戸尻２１，３１方向を見た、左側袖扉２Ａ及び左側移動扉３Ａの戸尻２１，３１寄りの破断側面図である。図４は、左側移動扉３Ａが全開位置Ａ２に位置する状態において、戸先２２，３２から戸尻２１，３１方向を見た、左側袖扉２Ａ及び左側移動扉３Ａの戸先２２，３２寄りの破断側面図である。
【００３２】
図３及び図４に示すように、袖扉２は、２枚の四角形の板部材２３，２４と、板部材２３，２４を対向した状態で固定する上部固定部材２６と、板部材２３，２４を対向した状態で固定する下部固定部材２８とを備えている。上部固定部材２６は、側面視においてＵ字状であって、袖扉２の幅方向に延出して袖扉２の上端部２５に設けられる。上部固定部材２６の下面には、補強板２６Ａが固定されている。下部固定部材２８は、側面視において逆Ｕ字状であって、袖扉２の幅方向に延出して袖扉２の下端部２７に設けられる。下部固定部材２８の上面には、補強板２８Ａが固定されている。
【００３３】
移動扉３は、２枚の四角形の板部材３３，３４と、板部材３３，３４を対向した状態で固定するＵ字状の上部固定部材３６と、板部材３３，３４を対向した状態で固定する逆Ｕ字状の下部固定部材３８とを備えている。上部固定部材３６は、移動扉３の幅方向に延出して移動扉３の上端部３５に設けられる。上部固定部材３６の下面には、補強板３６Ａが固定されている。下部固定部材３８は、移動扉３の幅方向に延出して移動扉３の下端部３７に設けられる。下部固定部材３８の上面には、補強板３８Ａが固定されている。
【００３４】
＜袖扉＞
次に、図５を参照して左側袖扉２Ａについて説明する。なお、右側袖扉２Ｂは左側袖扉２Ａと構成が左右対象であるため、右側袖扉２Ｂの説明を割愛し、以下では左側袖扉２Ａを袖扉２として説明する。
【００３５】
図５に示すように、袖扉２の上端部２５の戸尻２１側には、上枠１４に固定されるとともに、袖扉２の上下方向に延出する袖扉上部軸４１が設けられている。袖扉上部軸４１は、第１取付部材４２を介して袖扉２の上端部２５に取り付けられている。第１取付部材４２は、板材４２Ａと、２個のボルト４２Ｂとを備える。板材４２Ａはボルト４２Ｂによって袖扉２の上端部２５の上部固定部材２６及び補強板２６Ａに固定され、袖扉上部軸４１は板材４２Ａに支持されている。
【００３６】
袖扉２の下端部２７の戸尻２１側には、左側縦枠１２に固定される軸固定板４３Ａに固定され、袖扉２の上下方向に延出する袖扉下部軸４３が設けられている。袖扉下部軸４３は、第２取付部材４４を介して袖扉２の下端部２７に取り付けられている。第２取付部材４４は、板材４４Ａと、２個のボルト４４Ｂと、袖扉２の下端部２７の下部固定部材３８及び補強板３８Ａに固定される支持板４４Ｃとを備える。支持板４４Ｃは正面視においてＵ字状の板材である。板材４４Ａはボルト４４Ｂによって支持板４４Ｃに固定され、この板材４４Ａは袖扉下部軸４３に支持されている。よって、袖扉２は、袖扉上部軸４１と袖扉下部軸４３とによって旋回可能に支持されている。
【００３７】
袖扉２の上端部２５の戸先２２側には、第３取付部材４５が設けられている。第３取付部材４５は、袖扉２の上端部２５の上部固定部材２６及び補強板２６Ａに固定される板材４５Ａと、２個のボルト４５Ｂとを備える。板材４５Ａは正面視において逆Ｕ字状の板材である。板材４５Ａはボルト４５Ｂによって袖扉２の上端部２５の上部固定部材２６及び補強板２６Ａに固定されている。
【００３８】
上枠１４の第３取付部材４５と対向する部分には、移動扉３が旋回開始位置Ａ３以外にあるときに袖扉２の旋回を規制する袖扉ロック装置４６が取り付けられている。袖扉ロック装置４６は、移動扉３が旋回開始位置Ａ３に位置すると袖扉２の旋回の規制を解除するラッチ機構である。袖扉ロック装置４６は、移動扉３が旋回開始位置Ａ３以外では袖扉２の上端部２５の戸先２２側と上枠１４とを固定し、移動扉３が旋回開始位置Ａ３では袖扉２の上端部２５の戸先２２側と上枠１４との固定を解除する。袖扉２は、袖扉ロック装置４６による固定が解除されることで旋回可能となる。
【００３９】
袖扉ロック装置４６は、第３取付部材４５の板材４５Ａに係止する係止部材４６Ａと、係止部材４６Ａと一体に移動し、移動扉３が旋回開始位置Ａ３に移動してきた際に押し上げられる被押上部材４６Ｂとを備えている。なお、袖扉ロック装置４６には、後述する移動扉３の移動扉ロック装置の被押上部材を押し上げる押上部材４７が取り付けられている。
【００４０】
＜吊り部材のレール＞
図３及び図４に示すように、移動扉３は、吊り部材５０を介して上枠１４に取り付けられている。上枠１４の内部には、幅方向に延出し、吊り部材５０の戸車５１を支持するレール６１が設けられている。レール６１は、袖扉２の上方に設けられ、袖扉２の厚み方向の中心Ｃよりも移動扉３寄りに設けられる。レール６１は、幅方向に延出するレールベース６２に取り付けられている。レールベース６２は、上枠１４に固定されている。各戸車５１は、袖扉２の上部に位置するレール６１上を回転しながら移動する。
【００４１】
＜移動扉＞
次に、図６を参照して左側移動扉３Ａについて説明する。なお、右側移動扉３Ｂは左側移動扉３Ａと構成が左右対象であるため、右側移動扉３Ｂの説明を割愛し、以下では左側移動扉３Ａを移動扉３として説明する。
【００４２】
図６に示すように、移動扉３は、吊り部材５０を介して上枠１４に取り付けられている。吊り部材５０は、移動扉３の幅方向に延出する部材である。吊り部材５０には、戸尻３１寄りに２個、戸先３２寄りに２個の合計４個の戸車５１が回転自在に支持部材５２を介して設けられている（図８参照）。吊り部材５０と移動扉３とは、移動扉上部軸５３と移動扉ロック装置５６とによって連結されている。移動扉３の上端部３５の戸尻３１側には、移動扉３の上下方向に延出する移動扉上部軸５３が設けられている。移動扉上部軸５３は、第４取付部材５４を介して移動扉３の上端部３５に固定されるとともに、吊り部材５０の左側縦枠１２寄りに支持されている。第４取付部材５４は、移動扉３の上端部３５の上部固定部材３６及び補強板３６Ａに固定される板材５４Ａと、４個のボルト５４Ｂとを備える。板材５４Ａはボルト５４Ｂによって移動扉３の上端部３５の上部固定部材３６及び補強板３６Ａに固定されている。
【００４３】
移動扉３の上端部３５の戸先３２側には、第５取付部材５５が設けられている。第５取付部材５５は、移動扉３の上端部３５の上部固定部材３６及び補強板３６Ａに固定される板材５５Ａと、２個のボルト５５Ｂとを備える。板材５５Ａは正面視において逆Ｕ字状の板材である。板材５５Ａはボルト５５Ｂによって移動扉３の上端部３５の上部固定部材３６及び補強板３６Ａに固定されている。
【００４４】
上枠１４の第５取付部材５５と対向する部分には、旋回開始位置Ａ３以外にある移動扉３の旋回を規制する移動扉ロック装置５６が取り付けられている。移動扉ロック装置５６は、移動扉３が旋回開始位置Ａ３に位置すると袖扉２の旋回の規制を解除するラッチ機構である。移動扉ロック装置５６は、移動扉３が旋回開始位置Ａ３以外では移動扉３の上端部３５の戸先３２側と吊り部材５０とを固定し、移動扉３が旋回開始位置Ａ３では移動扉３の上端部３５の戸先３２側と吊り部材５０との固定を解除する。移動扉３は、移動扉ロック装置５６による固定が解除されることで旋回可能となる。
【００４５】
移動扉ロック装置５６は、第５取付部材５５の板材５５Ａに係止する係止部材５６Ａと、係止部材５６Ａと一体に移動し、移動扉３が旋回開始位置Ａ３に移動してきた際に押し上げられる被押上部材５６Ｂとを備えている。なお、移動扉ロック装置５６には、袖扉２の袖扉ロック装置４６の被押上部材４６Ｂを押し上げる押上部材５７が取り付けられている。
【００４６】
＜保持部材及び被保持部材＞
図７に示すように、袖扉２の上端部２５の戸先２２側には、袖扉２が旋回終了位置Ｂ４から旋回開始位置Ｂ３に移行したとき（図２参照）に、上枠１４に袖扉２が保持される被保持部材４９が取り付けられている。被保持部材４９は、第３取付部材４５の板材４５Ａの上面に固定されている。上枠１４が被保持部材４９を保持する保持部材として機能する。なお、袖扉２の旋回開始位置Ｂ３は袖扉２が閉じた状態の位置である。図４に示すように、ドア装置１は、移動扉３の下部が案内されていないとともに、移動扉の厚み方向への変位が規制されていない、特に袖扉２の上方において吊り部材５０の戸車５１がレール６１に支持されているため、移動扉３が自重によって袖扉２が設けられている方向に傾くおそれがある。移動扉３からの力が袖扉２に働くと固定されていない袖扉２が旋回することがある。
【００４７】
図９に示すように、被保持部材４９は、Ｌ字状に形成され、上枠１４の下面及び背面に対向している。被保持部材４９は、磁石４９Ａを備えている。磁石４９Ａは、被保持部材４９の上枠１４の背面と対向する部分に配置されている。なお、上枠１４は磁性体である鉄等の金属からなる。このため、被保持部材４９の磁石４９Ａが上枠１４の背面と接触した際に、磁力によって被保持部材４９ひいては袖扉２の位置が保持される。被保持部材４９及び上枠１４は、袖扉２が旋回していない閉じた状態のときに、移動扉３が移動することによる力が袖扉２に掛かっても袖扉２が旋回しない所定以下の保持力で保持する。なお、磁石４９Ａの設置面積を変更することで、袖扉２の上枠１４に対する保持力を調整することができる。また、磁力は距離によってその力が大きく変化するため、被保持部材４９の磁石４９Ａが上枠１４の背面と接触しているときには強固に保持されつつ、一旦離れると、保持力は大幅に低下するので、袖扉２の旋回時には負荷にならないまま、袖扉２の予期しない旋回を抑制することができる。
【００４８】
＜支持機構＞
図４に示すように、袖扉２の下端部２７に設けられる下部固定部材２８には、袖扉２の幅方向に延出する逆Ｕ字状の第６取付部材７１が取り付けられている。第６取付部材７１の袖扉２の厚み方向の長さは、下部固定部材２８の袖扉２の厚み方向の長さよりも短くなっている。第６取付部材７１は、ボルト７１Ａによって下部固定部材２８及び補強板２８Ａに固定されている。下部固定部材２８と第６取付部材７１との間には、板状のスペーサ７１Ｂが配置されている。第６取付部材７１は、スペーサ７１Ｂによって袖扉２の下部固定部材２８との距離（高さ）を変更可能である。前記袖扉と前記取付部材との距離を変更可能である。
【００４９】
袖扉２の下端部２７の戸先２２側には、移動扉３の旋回時に袖扉２に対して相対的に移動しながら移動扉３を支持する支持機構７０が取り付けられている。支持機構７０は、移動扉３が建物開口部１０の開閉方向に移動するときには、移動扉３と袖扉２との間の距離が所定以上離れることを抑制する。ここで、所定とは、移動扉３が上枠１４から外れず、袖扉２に当たらない範囲で設定される。
【００５０】
支持機構７０は、移動扉３の下端部３７に設けられるガイドレール７２と、移動扉３の旋回時にガイドレール７２を支持するガイドローラ７３と、ガイドローラ７３を回転可能に保持する、側面視においてＵ字状をなす取付ブラケット７４とを備えている。
【００５１】
ガイドレール７２は、移動扉３の幅方向に延出し、移動扉３の幅とほぼ同じ長さを有している（図６参照）。ガイドレール７２は、移動扉３の下部固定部材３８の及び補強板３８Ａにボルト７２Ｂによって固定されている。ガイドレール７２は、移動扉３の下方へ突出して設けられている。ガイドレール７２の下部、すなわちガイドローラ７３との接触部７２Ａは、移動扉３の厚さ方向における中央部分が下方に膨らんだ、幅方向と垂直な断面及び側面視において外形が凸状の曲線、すなわち凸円弧状である。
【００５２】
ガイドローラ７３は、移動扉３の幅方向に回転軸を有する円柱部材であって、回転軸の延出方向における外周の中央部分が周方向全体にわたって凹んだ円柱状の部材である。ガイドローラ７３のガイドレール７２との接触部７３Ａは、幅方向と垂直な断面及び側面視において外形が凹状の曲線、すなわち凹円弧状である。取付ブラケット７４は、袖扉２の下端部２７に取り付けられる第１取付部７４Ａと、第１取付部７４Ａに接続されて、ガイドローラ７３が取り付けられる第２取付部７４Ｂとを備える。取付ブラケット７４は、第１取付部７４Ａが袖扉２の下端部２７に取り付けられた第６取付部材７１の内部に挿入され、第２取付部７４Ｂが移動扉３の下端部３７に取り付けられた下部固定部材３８の内部に挿入されている。
【００５３】
図５に示すように、取付ブラケット７４の第１取付部７４Ａは、四角形の板状であって、袖扉２の幅方向に延出している。取付ブラケット７４の第１取付部７４Ａの幅方向の長さ（Ｌ１）は、ガイドローラ７３の幅方向における長さ、つまり直径（Ｄ１）以上（Ｌ１≧Ｄ１）に設定されている。取付ブラケット７４の第２取付部７４Ｂの幅方向の長さ（Ｌ２）は、ガイドローラ７３の幅方向における長さ、つまり直径（Ｄ１）とほぼ同じ（Ｌ２≒Ｄ１）に設定されている。なお、取付ブラケット７４はブラケットに相当し、ガイドローラ７３は支持部材に相当し、ガイドレール７２はレールに相当する。また、取付ブラケット７４の第１取付部７４Ａが、一対の案内部材により保持されるブラケットの部分に相当する。
【００５４】
図４に示すように、ガイドローラ７３の袖扉２から遠い側である表面側には、円板状のつば７３Ｂが設けられている。つば７３Ｂは、側面視において四角形状であって、ガイドローラ７３の接触部７３Ａよりも径方向に突出している。このため、移動扉３に対して袖扉２が離間する方向へ移動した際や袖扉２に対して移動扉３が離間する方向へ移動した際に、つば７３Ｂはガイドレール７２の側面と接触する。
【００５５】
＜スライドレール＞
袖扉２の下部と支持機構７０との間には、一対の案内部材として一対のスライドレール７７が設けられている。スライドレール７７は、鋼板をロールフォーミングで成形した有限の長さを持つ直線案内であり、摺動手段として、ローラ、ベアリング又はクアドロ等が用いられるものである。さて、一対のスライドレール７７は、支持機構７０の移動を案内し、支持機構７０を袖扉２の厚さ方向の両側から挟み込んで支持する。すなわち、スライドレール７７は、取付ブラケット７４の第１取付部７４Ａと第６取付部材７１のＵ字の各腕部７１Ｃ，７１Ｃとの間にそれぞれ設けられている。スライドレール７７は、袖扉２の幅方向に延出して設けられ、袖扉２の幅方向に並んだボールベアリング７７Ａを有する固定部７７Ｂと、ボールベアリング７７Ａによって移動する移動部７７Ｃとを備えている。固定部７７Ｂは第６取付部材７１の腕部７１Ｃに固定され、移動部７７Ｃは取付ブラケット７４の第１取付部７４Ａの両面に固定されている。よって、スライドレール７７の固定部７７Ｂは、第６取付部材７１とともに移動する。スライドレール７７の移動部７７Ｃは、取付ブラケット７４とともに移動する。
【００５６】
図５に示すように、取付ブラケット７４の第１取付部７４Ａの幅方向における長さ（Ｌ１）は、スライドレール７７の幅方向における長さ（Ｌ３）の半分ほどに設定されている。このため、ガイドローラ７３に移動扉３の重量が掛かった際に取付ブラケット７４を介してスライドレール７７の一部に過度な荷重が掛かることを抑制することができる。
【００５７】
＜袖扉孔部及び移動扉孔部＞
図４及び図１０に示すように、袖扉２の下端部２７の戸先２２側には、袖扉孔部８０が設けられている。袖扉孔部８０は、一対のスライドレール７７の袖扉２の下部に対する取付部分を外部から当該取付状態を確認するために設けられている。すなわち、袖扉孔部８０は、袖扉２の正面、移動扉３に対向する面側の板部材２４の一部を切り欠くとともに、戸先２２の下部を切り欠くことで形成されている。また、下部固定部材２８の表面側の一部を切り欠くことで第６取付部材７１のスペーサ７１Ｂの枚数を変更することができるようになっている。袖扉孔部８０には、袖扉孔部８０を閉じる袖扉蓋８１が螺子８１Ａによって取り付けられる。
【００５８】
図１１に示すように、袖扉蓋８１は、平面視においてＬ字状の板材である。袖扉蓋８１は、袖扉２の板部材２４側に３箇所、袖扉２の戸先２２側に２箇所に螺子８１Ａが取り付けられる。移動扉３が全閉位置Ａ１であっても、袖扉２と移動扉３とは重なっているので、袖扉蓋８１は、袖扉２の戸先２２側へ引き抜くことで袖扉孔部８０から取り外すことができる。
【００５９】
図６に示すように、移動扉３の下端部３７の戸尻３１には、移動扉孔部８２が設けられている。移動扉孔部８２は、支持機構７０のガイドレール７２とガイドローラ７３との位置関係を外部から確認するために設けられている。つまり旋回していないときに、ガイドローラ７３の凹部にガイドレール７２の凸部が接触しない程度に嵌り込む位置関係に調整する際に確認することができるように、移動扉孔部８２は戸尻３１の下部を切り欠くことで形成されている。また、移動扉孔部８２には、移動扉孔部８２を閉じる移動扉蓋８３が螺子８３Ａによって取り付けられている。移動扉蓋８３は、四角形状の板材であって、螺子８３Ａを外すことで移動扉孔部８２から取り外すことができる。なお、上記の通り、ガイドローラ７３の凹部にガイドレール７２の凸部が接触しない程度にするのは、移動扉３が旋回していない場合であって、移動扉３が袖扉２に沿って移動している際にガイドローラ７３の凹部にガイドレール７２の凸部が常に接触していると、ガイドローラ７３やガイドレール７２が摩耗してしまうからである。
【００６０】
袖扉蓋８１を袖扉孔部８０から取り外すとともに、移動扉蓋８３を移動扉孔部８２から取り外して、ガイドローラ７３の高さを確認しながら、第６取付部材７１のスペーサ７１Ｂの枚数を変更する。このようにすることで、ガイドローラ７３の高さを変更することができ、ガイドレール７２とガイドローラ７３との位置を変更することができる。
【００６１】
＜作用＞
次に、図１２を参照して、上記のように構成されたドア装置１の作用について説明する。図１２では、左側袖扉２Ａ及び左側移動扉３Ａにてドア装置１の作用について説明する。左側袖扉２Ａの旋回開始位置Ｂ３と旋回終了位置Ｂ４との間の軌跡を軌跡線ＬＢにて示し、左側移動扉３Ａの旋回開始位置Ａ３と旋回終了位置Ａ４との間の軌跡を軌跡線ＬＡにて示す。
【００６２】
図１２に示すように、ドア装置１が自動ドアとして機能する際には、移動扉３が全閉位置Ａ１と全開位置Ａ２との間で駆動装置によって移動される。このとき、移動扉３は、移動扉上部軸５３及び移動扉ロック装置５６によって吊り部材５０に吊り下げられているため、ガイドレール７２とガイドローラ７３とは接触せずに移動する。なお、移動扉３に鉛直下方への荷重が掛かった場合には、ガイドレール７２とガイドローラ７３とが接触して、ガイドローラ７３が回転しながら移動扉３が移動する。また、移動扉３は、駆動装置によって全開位置Ａ２に移動されると、駆動装置の制動によって全開位置Ａ２に保持されている。
【００６３】
また、袖扉２及び移動扉３を旋回させて建物開口部１０を全開させる際には、全開スイッチを操作して図示しない駆動装置によって移動扉３を全開位置Ａ２から旋回開始位置Ａ３に移動させる。移動扉３が旋回開始位置Ａ３に移動すると、移動扉３の移動扉ロック装置５６が解除されて移動扉３が旋回可能となる。このとき旋回すると、移動扉３の戸先３２側が自重によって鉛直下方に下がり、ガイドレール７２がガイドローラ７３に接触し、移動扉３の戸先３２側が支持機構７０によって支持される。同様に、袖扉２の袖扉ロック装置４６も解除されて、袖扉２が旋回可能となる。なお、袖扉２は、袖扉上部軸４１及び袖扉下部軸４３によって支持されるため、袖扉２の戸先２２側は鉛直下方へほとんど下がらない。前記駆動装置は、移動扉３を旋回開始位置Ａ３に移動させると、駆動を停止する。
【００６４】
旋回が可能となった袖扉２及び移動扉３は、手動によって部屋の外側へ旋回される。このとき、袖扉２と移動扉３とは支持機構７０の取付ブラケット７４によって接続されるとともに、ガイドローラ７３にガイドレール７２が接触しているため、袖扉２と移動扉３とは連れ動きする。また、軌跡線ＬＢに示すように袖扉２は袖扉上部軸４１及び袖扉下部軸４３を旋回中心として旋回し、軌跡線ＬＡに示すように移動扉３は移動扉上部軸５３を旋回中心として旋回する。このため、袖扉２及び移動扉３が旋回開始位置Ａ３，Ｂ３に位置するときには、移動扉３の戸先３２が袖扉２の戸先２２よりも突出している。しかしながら、袖扉２及び移動扉３が旋回開始位置Ａ３，Ｂ３から旋回終了位置Ａ４，Ｂ４への移動に伴って、移動扉３の戸先３２が袖扉２の戸先２２よりも突出し、さらに移動扉３の戸先３２の位置と袖扉２の戸先２２の位置との距離が長くなる。
【００６５】
この旋回開始位置Ａ３，Ｂ３と旋回終了位置Ａ４，Ｂ４との間の旋回において、支持機構７０のガイドローラ７３（取付ブラケット７４）と移動扉３とはほぼ同じ位置に位置している。一方で、取付ブラケット７４は、旋回開始位置Ａ３，Ｂ３から旋回終了位置Ａ４，Ｂ４への移動に伴い袖扉２の戸先２２から離間する。すなわち、取付ブラケット７４はスライドレール７７によって袖扉２に対して移動することで、袖扉２と移動扉３との旋回による移動差を吸収することができる。特に、一対のスライドレール７７が取付ブラケット７４の第１取付部７４Ａの両側に配置されているので、袖扉２及び移動扉３を旋回させるために水平方向の力が作用したとしても少なくとも一方のスライドレール７７によって支持されることとなる。さらに、袖扉２と移動扉３との旋回においてガイドレール７２とガイドローラ７３との角度が変化するが、ガイドレール７２の凸円弧状の接触部７２Ａとガイドローラ７３の凹円弧状の接触部７３Ａとによってガイドレール７２とガイドローラ７３との位置合わせが行われる。よって、袖扉２と移動扉３との相対移動がスムーズに行われるので、スムーズに旋回することができる。
【００６６】
袖扉２及び移動扉３を旋回終了位置Ｂ４，Ａ４へ旋回させる際に、移動扉３を引っ張るとガイドレール７２がガイドローラ７３のつば７３Ｂに接触することで、移動扉３とともに袖扉２も一体に旋回させることができる。また、袖扉２及び移動扉３を旋回開始位置Ｂ３，Ａ３へ旋回させる際に、袖扉２を引っ張るとガイドローラ７３のつば７３Ｂがガイドレール７２に接触することで、袖扉２とともに移動扉３も一体に旋回させることができる。
【００６７】
袖扉２を旋回開始位置Ｂ３に旋回させた際に、袖扉２に取り付けられた被保持部材４９の磁石４９Ａが上枠１４の背面と接触すると、被保持部材４９が上枠１４に接触した状態に保持されるため、袖扉ロック装置４６の係止部材５６Ａを第３取付部材４５の板材４５Ａに確実に係止させることができる。
【００６８】
以上説明したように、本実施形態によれば、以下の効果を奏することができる。
（１）移動扉３が袖扉２に対し建物開口部１０の開閉方向に移動するときには、移動扉３と袖扉２との間の距離が所定以上離れるのを支持機構７０によって抑制することができる。更に移動扉３を支持する支持機構７０の厚さ方向の両側から挟み込む一対のスライドレール７７が袖扉２に設けられているため、移動扉３及び袖扉２が旋回する際に、移動扉３が支持機構７０を介して袖扉２に支持される。特に一対のスライドレール７７は、支持機構７０を両側から挟み込むように設けられるので、案内部材が一つの場合に比べ、案内部材にかかる圧縮方向の力と引っ張り方向の力をバランスよく受けることができる。これにより、移動扉３の下部を案内するガイドレールを省略するとともに、スムーズに旋回することもできる。
【００６９】
（２）取付ブラケット７４の一対のスライドレール７７に取り付けられる第１取付部７４Ａの長さ（Ｌ１）が移動扉３を支持するガイドローラ７３の幅方向における長さ（Ｄ１）よりも長い（Ｌ１＞Ｄ１）。このため、取付ブラケット７４に掛かる荷重を分散させることができ、スライドレール７７に荷重が局所的に集中することを抑制することで、旋回時における袖扉２に対する移動扉３の相対移動がスムーズに行えるので、スムーズに旋回することができる。
【００７０】
（３）移動扉３と袖扉２とが旋回する際に、それぞれの旋回軸が異なることによる移動距離や角度の差によってガイドローラ７３とガイドレール７２との位置関係が変化したとしても接触部７３Ａ，７２Ａ同士の曲線からなる断面形状である円弧によってずれを補正することができる。
【００７１】
（４）ガイドローラ７３のつば７３Ｂがガイドレール７２に当たることで、ガイドローラ７３とガイドレール７２との相対的な位置や角度がずれたとしても、ガイドローラ７３とガイドレール７２とが離れることを抑制することができる。よって、袖扉２と移動扉３とが離れることを抑制することができるので、袖扉２と移動扉３とが一体に旋回することができる。
【００７２】
（５）ドア装置１が全閉状態のときに、移動扉３の移動扉孔部８２から支持機構７０の状態と、袖扉２の袖扉孔部８０によって一対のスライドレール７７の取付状態とを移動することなく確認することができる。更に支持機構７０の状態を確認しながら、移動することなくスライドレール７７の上下方向の位置等を変更することができる。
【００７３】
（６）袖扉２が旋回開始位置Ｂ３に位置する状態のときに、袖扉２の被保持部材４９及び保持部材である上枠１４が接触して、袖扉２を旋回開始位置Ｂ３に保持することで、移動扉３からの力が袖扉２に働くことにより、袖扉２が意図せず旋回することを抑制することができる。
【００７４】
（７）一対のスライドレール７７が支持機構７０を保持しつつ、第６取付部材７１の袖扉２の下部固定部材２８との相対位置（距離）を変更することによって支持機構７０の袖扉２に対する位置、例えば高さ方向の位置関係を容易に変更することができる。
【００７５】
（８）支持機構７０を袖扉２の下方に設けた開口から一対のスライドレール７７に挟み込むことができるので、袖扉２の側面に支持機構７０を通過させるための開口を設ける必要がない。
【００７６】
（９）引戸動作時に支持機構７０のガイドレール７２と仮に当たったとしても、ガイドローラ７３が回転することにより引戸動作に悪影響を与えることがない。
なお、上記実施形態は、これを適宜変更した以下の形態にて実施することもできる。
【００７７】
・上記実施形態では、戸尻３１寄りに２個、戸先３２寄りに２個の合計４個の戸車５１が支持部材５２を介して吊り部材５０に設けたが、戸車５１の数量は戸尻３１寄り、戸先３２寄りについてそれぞれ任意に設定してよい。
【００７８】
・上記実施形態では、袖扉孔部８０を設けたが、袖扉孔部８０を省略してもよい。
・上記実施形態では、移動扉孔部８２を設けたが、移動扉孔部８２を省略してもよい。
・上記実施形態では、被保持部材４９を袖扉２に設けたが、被保持部材を躯体部である上枠１４に設け、保持部材を袖扉２に設けてもよい。
【００７９】
・上記実施形態では、被保持部材４９に磁石４９Ａを設けたが、磁石に限らず、袖扉２の上枠１４に対する位置を保持することができれば、面ファスナーや吸盤や粘着テープや粘着性のある高分子素材等の他の部材を設けてもよい。
【００８０】
・上記実施形態では、上枠１４自体を保持部材としたが、被保持部材を保持する保持部材を上枠１４に別途設けてもよい。別に設けることにより上枠１４が鉄製でない場合であっても同様の効果を得ることができる。
【００８１】
・上記構成において、被保持部材４９を省略してもよい。
・上記実施形態では、側面視において四角形状のつば７３Ｂをガイドローラ７３に設けたが、側面視において円弧状等の他の形状のつばをガイドローラ７３に設けてもよい。
【００８２】
・上記実施形態では、ガイドローラ７３の袖扉２から遠い側である表面側にのみ、旋回時にガイドレール７２の袖扉２から遠い側の表面と当たるつば７３Ｂを設けたが、図４の２点鎖線で示したように、ガイドローラ７３の背面側にも、旋回時にガイドレール７２と当たるつば７３Ｃを設けてもよい。
【００８３】
・上記構成において、つば７３Ｂ（７３Ｃ）を省略してもよい。
・上記実施形態では、ガイドレール７２の接触部７２Ａの幅方向と垂直な断面における外形を凸円弧状及びガイドローラ７３の接触部７３Ａの幅方向と垂直な断面における外形を凹円弧状とした。しかしながら、ガイドレール７２の接触部７２Ａの幅方向と垂直な断面における外形を凹円弧状及びガイドローラ７３の接触部７３Ａの幅方向と垂直な断面における外形を凸円弧状としてもよい。
【００８４】
・ガイドレール７２の接触部７２Ａとガイドローラ７３の接触部７３Ａとが接触すれば、幅方向と垂直な断面における外形をそれぞれ円弧状としなくてもよく、曲線状であってもよい。
【００８５】
・上記実施形態では、回転可能なガイドローラ７３を用いたが、これに限らず回転せずにガイドレール７２に沿って摺動又は移動（旋回時には摺動）する樹脂製や摺動性の高い金属その他の材質のガイドブロックであってもよい。
【００８６】
・ガイドレール７２は凸円弧状の断面としたが、これに限られず、台形その他の多角形断面であってもよい。
・上記実施形態では、取付ブラケット７４の第２取付部７４Ｂの幅方向の長さ（Ｌ２）を、ガイドローラ７３の幅方向における長さ、つまり直径（Ｄ１）とほぼ同じ（Ｌ２≒Ｄ１）に設定した。しかしながら、取付ブラケット７４の第２取付部７４Ｂの幅方向の長さ（Ｌ２）を、ガイドローラ７３の幅方向における長さ、つまり直径（Ｄ１）よりも長く（Ｌ２＞Ｄ１）してもよい。
【００８７】
・上記実施形態では、袖扉２の第６取付部材７１にスライドレール７７を取り付けたが、取付ブラケット７４の高さ変更が不要であれば、第６取付部材７１を省略して、スライドレール７７を袖扉２の下端部２７に直接取り付けてもよい。例えば、取付ブラケット７４と袖扉２の板部材２３，２４との距離を変更した上で、スライドレール７７を取り付けてもよい。
【００８８】
・上記実施形態では、一対の案内部材であるスライドレール７７が支持機構７０を袖扉２の厚さ方向の両側から挟み込んで支持したが、一対の案内部材が袖扉２の高さ方向の両側から挟み込んで支持してもよい。例えば、支持機構７０の取付ブラケット７４の一部を袖扉２の厚さ方向に延出させて、この取付ブラケット７４の袖扉２の厚さ方向に延出した部分を一対の案内部材が両側から挟み込んで保持する。
【００８９】
・上記実施形態では、スライドレール７７を案内部材として採用したが、袖扉２に設けられ、支持機構７０の案内が可能であって、取付ブラケット７４の両側に位置すれば、スライドレール以外の案内部材、例えばガイドレール、リニアレールやリニアガイド等を採用してもよい。
【００９０】
・上記実施形態では、支持機構７０が移動扉３の下端部３７を支持したが、支持機構７０を袖扉２の高さ方向の下部寄りの途中に設け、移動扉３の高さ方向の下部寄りの途中を支持してもよい。このようにしても、移動扉３及び袖扉２が旋回する際に、移動扉３が支持機構７０を介して袖扉２に支持されるため、移動扉３の下部を案内するガイドレールを省略することができる。
【００９１】
・上記実施形態では、移動扉３を全開位置Ａ２から旋回開始位置Ａ３に移動させる際に、全開スイッチを操作することで駆動装置によって移動扉３を移動させたが、図示しない駆動装置でなく、手動によって移動扉３を移動させてもよい。
【００９２】
・上記実施形態では、移動扉３の全開位置Ａ２と旋回開始位置Ａ３とを異なる位置としたが、移動扉３の全開位置Ａ２と旋回開始位置Ａ３とを同じ位置（Ａ２＝Ａ３）としてもよい。
【００９３】
・上記実施形態では、吊り部材５０を介して移動扉３が上枠１４に取り付けられたが、吊り部材省略して、移動扉３を上枠１４に直接取り付けてもよい。
・上記実施形態では、ドア装置１は、検知センサ５が人等を検知した際に、図示しない駆動装置によって移動扉３を開位置に移動させたが、検知センサを省略して、図示しない押しボタン等のスイッチを操作した際に、前記駆動装置によって移動扉３を開位置及び閉位置に移動させてもよい。
【００９４】
・上記実施形態では、ドア装置１は、図示しない駆動装置によって移動扉３を移動させたが、駆動装置を省略して、手動によって移動扉３を移動させてもよい。
【符号の説明】
【００９５】
１…ドア装置、２…袖扉、２Ａ…左側袖扉、２Ｂ…右側袖扉、３…移動扉、３Ａ…左側移動扉、３Ｂ…右側移動扉、５…検知センサ、１０…建物開口部、１１…床面、１２…左側縦枠、１３…右側縦枠、１４…上枠、１５…天井、２１…戸尻、２２…戸先、２３…板部材、２４…板部材、２５…上端部、２６…上部固定部材、２６Ａ…補強板、２７…下端部、２８…下部固定部材、２８Ａ…補強板、３１…戸尻、３２…戸先、３３…板部材、３４…板部材、３５…上端部、３６…上部固定部材、３６Ａ…補強板、３７…下端部、３８…下部固定部材、３８Ａ…補強板、４１…袖扉上部軸、４２…第１取付部材、４２Ａ…板材、４２Ｂ…ボルト、４３…袖扉下部軸、４３Ａ…軸固定板、４４…第２取付部材、４４Ａ…板材、４４Ｂ…ボルト、４４Ｃ…支持板、４５…第３取付部材、４５Ａ…板材、４５Ｂ…ボルト、４６…袖扉ロック装置、４６Ａ…係止部材、４６Ｂ…被押上部材、４７…押上部材、４８…、４９…被保持部材、４９Ａ…磁石、５０…吊り部材、５１…戸車、５２…支持部材、５３…移動扉上部軸、５４…第４取付部材、５４Ａ…板材、５４Ｂ…ボルト、５５…第５取付部材、５５Ａ…板材、５５Ｂ…ボルト、５６…移動扉ロック装置、５６Ａ…係止部材、５６Ｂ…被押上部材、５７…押上部材、６１…レール、６２…レールベース、７０…支持機構、７１…第６取付部材、７１Ａ…ボルト、７１Ｂ…スペーサ、７２…ガイドレール、７２Ａ…接触部、７２Ｂ…ボルト、７３…支持部材としてのガイドローラ、７３Ａ…接触部、７３Ｂ…つば、７４…取付ブラケット、７４Ａ…第１取付部、７４Ｂ…第２取付部材、７７…案内部材としてのスライドレール、７７Ａ…ボールベアリング、７７Ｂ…固定部、７７Ｃ…移動部、８０…袖扉孔部、８１…袖扉蓋、８１Ａ…螺子、８２…移動扉孔部、８３…移動扉蓋、８３Ａ…螺子、Ａ１…全開位置、Ａ２…全開位置、Ａ３，Ｂ３…旋回開始位置、Ａ４，Ｂ４…旋回終了位置、ＬＡ，ＬＢ…軌跡線。
【図１】
2018193748.tif 000003
【図２】
2018193748.tif 000004
【図３】
2018193748.tif 000005
【図４】
2018193748.tif 000006
【図５】
2018193748.tif 000007
【図６】
2018193748.tif 000008
【図７】
2018193748.tif 000009
【図８】
2018193748.tif 000010
【図９】
2018193748.tif 000011
【図１０】
2018193748.tif 000012
【図１１】
2018193748.tif 000013
【図１２】
2018193748.tif 000014